(57)【特許請求の範囲】
【請求項１】
半永続スケジューリング（ＳＰＳ）アップリンクリソース解放に確認応答する方法であって、
物理的ダウンリンク制御チャネル（ＰＤＣＣＨ）を介して、アップリンクＳＰＳリソース解放信号を受信することであって、該ＳＰＳリソース解放信号は、該ＰＤＣＣＨを介して、ダウンリンク制御情報（ＤＣＩ）フォーマット１Ａを使用して示される、ことと、
該アップリンクＳＰＳリソース解放信号の受信を確認するために確認応答（ＡＣＫ）を送信することであって、該ＡＣＫは、該ＰＤＣＣＨの該ＤＣＩフォーマット１Ａが伝送されるリソースと関連付けられたリソースを使用して伝送される、ことと
を含む、方法。
【請求項２】
前記ＡＣＫは、前記アップリンクのためのＳＰＳリソース解放信号が前記ＰＤＣＣＨを介して伝送されるリソースと関連付けられたリソースを使用して伝送される、請求項１に記載の方法。
【請求項３】
前記ＤＣＩフォーマット１Ａは、１つの予約ビットを含み、該１つの予約ビットは、アップリンクＳＰＳリソース解放またはダウンリンクＳＰＳリソース解放を示すように設定される、請求項１に記載の方法。
【請求項４】
半永続スケジューリング（ＳＰＳ）アップリンクリソース解放に確認応答する方法であって、
物理的ダウンリンク制御チャネル（ＰＤＣＣＨ）を介して、アップリンクＳＰＳリソース解放信号を送信することであって、該ＳＰＳリソース解放信号は、該ＰＤＣＣＨを介して、ダウンリンク制御情報（ＤＣＩ）フォーマット１Ａを使用して示される、ことと、
該アップリンクＳＰＳリソース解放信号の受信を確認するために確認応答（ＡＣＫ）を受信することであって、該ＡＣＫは、該ＰＤＣＣＨの該ＤＣＩフォーマット１Ａが伝送されるリソースと関連付けられたリソースを使用して受信される、ことと
を含む、方法。
【請求項５】
前記ＡＣＫは、前記アップリンクのためのＳＰＳリソース解放信号が、前記ＰＤＣＣＨを介して伝送されるリソースと関連付けられたリソースを使用して伝送される、請求項４に記載の方法。
【請求項６】
前記ＤＣＩフォーマット１Ａは、１つの予約ビットを含み、該１つの予約ビットは、アップリンクＳＰＳリソース解放またはダウンリンクＳＰＳリソース解放を示すように１に設定される、請求項４に記載の方法。
【請求項７】
アクセスデバイスは、前記アップリンクのためのＳＰＳリソース解放信号をユーザ機器（ＵＥ）に伝送し、該ＵＥは、前記ＡＣＫを該アクセスデバイスに伝送する、請求項４に記載の方法。
【請求項８】
プロセッサを備えているユーザ機器（ＵＥ）であって、該プロセッサは、
物理的ダウンリンク制御チャネル（ＰＤＣＣＨ）を介して、アップリンク半永続スケジューリング（ＳＰＳ）リソース解放信号を受信することであって、該ＳＰＳリソース解放信号は、該ＰＤＣＣＨを介して、ダウンリンク制御情報（ＤＣＩ）フォーマット１Ａを使用して示される、ことと、
該アップリンクＳＰＳリソース解放信号の受信を確認するために確認応答（ＡＣＫ）を伝送することであって、該ＡＣＫは、該ＰＤＣＣＨの該ＤＣＩフォーマット１Ａが伝送されるリソースと関連付けられたリソースを使用して伝送される、ことと
を行うように構成されている、ＵＥ。
【請求項９】
前記ＡＣＫは、前記アップリンクのためのＳＰＳリソース解放信号が前記ＰＤＣＣＨを介して伝送されるリソースと関連付けられたリソースを使用して伝送される、請求項８に記載のＵＥ。
【請求項１０】
前記ＤＣＩフォーマット１Ａは、１つの予約ビットを含み、該１つの予約ビットは、アップリンクＳＰＳリソース解放またはダウンリンクＳＰＳリソース解放を示すように１に設定される、請求項８に記載のＵＥ。
【請求項１１】
プロセッサを備えているアクセスデバイスであって、該プロセッサは、
物理的ダウンリンク制御チャネル（ＰＤＣＣＨ）を介して、アップリンク半永続スケジューリング（ＳＰＳ）リソース解放信号を伝送することであって、該ＳＰＳリソース解放信号は、該ＰＤＣＣＨを介して、ダウンリンク制御情報（ＤＣＩ）フォーマット１Ａを使用して示される、ことと、
該アップリンクＳＰＳリソース解放信号の受信を確認するために確認応答（ＡＣＫ）を受信することであって、該ＡＣＫは、該ＰＤＣＣＨの該ＤＣＩフォーマット１Ａが伝送されるリソースと関連付けられたリソースを使用して受信される、ことと
を行うように構成されている、アクセスデバイス。
【請求項１２】
前記ＡＣＫは、前記アップリンクのためのＳＰＳリソース解放信号が、前記ＰＤＣＣＨを介して伝送されるリソースと関連付けられたリソースを使用して伝送される、請求項１１に記載のアクセスデバイス。
【請求項１３】
前記ＤＣＩフォーマット１Ａは、１つの予約ビットを含み、該１つの予約ビットは、１ビットをアップリンクＳＰＳリソース解放またはダウンリンクＳＰＳリソース解放を示すように１に設定される、請求項１１に記載のアクセスデバイス。
【発明の詳細な説明】
【背景技術】
【０００１】
本明細書で使用される場合、用語「ユーザ機器」および「ＵＥ」は、電気通信能力を有する、携帯電話、携帯情報端末、ハンドヘルドまたはラップトップコンピュータ、および類似のデバイス等の無線デバイスを指すことが可能である。そのようなＵＥは、無線デバイスと、加入者識別モジュール（ＳＩＭ）アプリケーション、ユニバーサル加入者識別モジュール（ＵＳＩＭ）アプリケーション、またはリムーバブルユーザ識別モジュール（Ｒ−ＵＩＭ）アプリケーションを含む、その関連するユニバーサル集積回路カード（ＵＩＣＣ）と、から成る、またはそのようなカードを有しないデバイス自体から成る場合がある。また、ＵＥは、類似の無線能力を有するが、デスクトップコンピュータ、セットトップボックス、またはネットワークノード等、移動可能ではないデバイスであり得る。ＵＥが、ネットワークノードであるとき、ネットワークノードは、無線デバイス等の別の機能として作用し、無線デバイスをシミュレートまたはエミュレートし得る。例えば、いくつかの無線デバイスの場合、典型的には、デバイス上に常駐するであろう、ＩＰ（インターネットプロトコル）マルチメディアサブシステム（ＩＭＳ）セッション開始プロトコル（ＳＩＰ）クライアントは、実際は、ネットワーク内に常駐し、最適化プロトコルを使用して、ＳＩＰメッセージ情報をデバイスに中継する。換言すれば、従来は無線デバイスによって実行されていたいくつかの機能は、遠隔ＵＥの形態で分散可能であって、遠隔ＵＥは、ネットワーク内の無線デバイスを表す。また、用語「ＵＥ」は、ＳＩＰセッションを終了することが可能な、任意のハードウェアまたはソフトウェア構成要素を指し得る。
【０００２】
従来の無線電気通信システムでは、基地局内の伝送機器は、セルとして知られる、地理的領域を介して、信号を伝送する。電気通信技術の進化に伴って、より高度なネットワークアクセス機器が導入され、以前には不可能であったサービスが提供可能となっている。本高度ネットワークアクセスデバイスは、例えば、従来の無線電気通信システム内の同等機器より高度に進化した、基地局または他のシステムおよびデバイスではなく、拡張ノードＢ（ｅＮＢ）を含む場合がある。そのような高度または次世代機器は、本明細書では、ロングタームエボリューション（ＬＴＥ）装置と称され、そのような機器を使用する、パケットベースのネットワークは、進化型パケットシステム（ＥＰＳ）と称され得る。本明細書で使用されるように、用語「アクセスデバイス」は、ＵＥに、電気通信システム内の他の構成要素へのアクセスを提供可能な、従来の基地局、ＬＴＥ  ｅＮＢ、または任意の他のシステムデバイス等、任意の構成要素を指す。
【０００３】
パケットデータの場合、ＵＥとアクセスデバイスとの間でデータを搬送する信号は、周波数、時間、およびコーディングパラメータ、ならびにアクセスデバイスによって指定され得る他の特徴の特有集合を有することが可能である。そのような特徴の特有集合を有する、ＵＥとアクセスデバイスとの間の接続は、リソースと称されることが可能である。アクセスデバイスは、典型的には、それと任意の特定の時間で通信する、各ＵＡのための異なるリソースを確立する。
【発明の概要】
【課題を解決するための手段】
【０００４】
最初に、本開示の１つ以上の実施形態の例示的な実装例を以下に提供するが、開示されるシステムおよび／または方法は、現在公知であるか、存在しているかに関わらず、任意の数の技術を使用して実装され得ることを理解されたい。本開示は、本明細書に示され、説明される例示的な設計および実装例を含む、以下に示される例示的な実装例、図面、および技術に限定されるべきではなく、同等物の十分な範囲とともに、添付の特許請求の範囲の範囲内で修正され得る。
【０００５】
半永続スケジューリング（ＳＰＳ）として公知のプロシージャでは、データパケットを伝送するためのリソースが付与され、次いで、データパケットのその後の伝送のために、周期的に使用される。ＳＰＳでは、アクセスデバイスは、付与および／または単一スケジューリング要求に基づいて、アップリンクまたはダウンリンクを介して、一定の間隔において、データパケットをＵＥに伝送するためのリソースを割り当て得る。ＵＥとアクセスデバイスとの間のボイスセッションの間、会話区間は、無音周期と交互に生じることが可能である。会話区間が終了して、無音周期がアップリンク上で開始すると、ＵＥは、典型的には、ＵＥが使用していたアップリンクリソース内での伝送を停止する。ダウンリンク上では、ＵＥは、典型的には、ＵＥが割り当てられたダウンリンクリソース内での受信を停止する。ＵＥが、アップリンクリソース内での伝送を停止すると、アクセスデバイスは、リソースを解放し、次いで、それを別のＵＥに付与可能となる。アップリンクまたはダウンリンク上のリソースの解放は、ＵＥあるいはアクセスデバイスによって開始可能である。
【０００６】
現在の無線アクセスネットワーク（ＲＡＮ）では、アクセスデバイスは、ＵＥに、物理的ダウンリンク制御チャネル（ＰＤＣＣＨ）を介して、ダウンリンク制御情報（ＤＣＩ）フォーマットメッセージを使用して、ＳＰＳリソースを解放するように信号伝達可能である。ＤＣＩフォーマット０を使用して、アップリンクＳＰＳリソースを解放することが可能であって、ＤＣＩフォーマット１、１Ａ、または２を使用して、ダウンリンクＳＰＳリソースを解放することが可能である。ダウンリンクリソースを解放するための信号を受信後、ＵＥは、ダウンリンクリソースの解放を確認する、ハイブリッド自動反復要求確認応答（ＨＡＲＱ−ＡＣＫ）をアクセスデバイスに返送可能である。ＨＡＲＱ−ＡＣＫが、ＵＥから受信されない場合、アクセスデバイスは、ＨＡＲＱ−ＡＣＫが、ＵＥから受信されるまで、または最大伝送時間に到達するまで、ＳＰＳ解放信号伝達を再伝送するであろう。したがって、ＨＡＲＱ−ＡＣＫを返送し、ダウンリンクリソース解放を確認することは、ＵＥが、ＳＰＳ解放信号伝達の検出を見逃し、貴重なバッテリ電力を浪費し得るような、不必要なＳＰＳダウンリンクリソース受信の試みを防止する。
【０００７】
しかしながら、現在のシステムでは、ＵＥは、アップリンクリソースを解放するための信号受信後、確認応答（ＡＣＫ）をアクセスデバイスに返送することはない。その結果、ＵＥは、アクセスデバイスが認知することなく、割り当てられてしないリソースを使用して、アップリンク内でデータパケットの伝送を継続し、また、バッテリ電力を浪費し、付加的信号干渉を生じさせ得る。アクセスデバイスが、ＵＥからのアップリンクリソース解放ＡＣＫを認識するために、アップリンクリソース解放ＡＣＫは、ＰＤＣＣＨを介して、ＤＣＩフォーマット０と関連付けられたリソースまたはアップリンクリソース解放信号を使用して、伝送されるべきである。しかしながら、そのようなリソースは、現在使用されていない、または利用不可能である。故に、ＵＥが、アクセスデバイスから、アップリンク上でＳＰＳリソース解放の受信に確認応答するために利用可能な手段は存在しない。
【０００８】
本明細書に開示されるのは、アップリンク上でＳＰＳリソース解放信号に確認応答するためのシステムおよび方法である。アップリンクリソース解放ＡＣＫは、アップリンクリソース解放信号と関連付けられたリソースを使用して伝送され得る。あるアプローチでは、ＡＣＫは、ＤＣＩフォーマット１Ａと関連付けられてもよい。アクセスデバイスは、ＰＤＣＣＨを介して、ＤＣＩフォーマット０の代わりに、ＤＣＩフォーマット１Ａを使用して、ＳＰＳアップリンクリソース解放を信号伝達し得る。具体的には、ＤＣＩフォーマット１Ａの１ビットは、ＳＰＳリソース解放が、ダウンリンクの代わりに、アップリンクのためのものであることを示すように設定され得る。次いで、ＵＥは、ＰＤＣＣＨのＤＣＩフォーマット１Ａと関連付けられたアップリンク制御チャネルリソースを使用して、ＡＣＫを伝送し得る。別のアプローチでは、ＡＣＫは、ＤＣＩフォーマット０にリンクされ得る。ＵＥが、ＰＤＣＣＨを介して、ＳＰＳアップリンクリソース解放を示すＤＣＩフォーマット０を受信すると、ＵＥは、ＰＤＣＣＨ、例えば、ＰＤＣＣＨの制御チャネル要素（ＣＣＥ）指数と関連付けられたアップリンク制御チャネルリソースを使用して、ＡＣＫを伝送し得る。さらに第３のアプローチでは、ＡＣＫは、高位層信号伝達によって、例えば、無線リソース制御（ＲＲＣ）信号伝達を介して、信号伝達されるリソースを使用して伝達され得る。ＵＥが、ＰＤＣＣＨを介して、ＳＰＳアップリンクリソース解放信号を受信すると、ＵＥは、例えば、アクセスデバイスによって構成され得る、無線リソース制御（ＲＲＣ）信号伝達によって信号伝達されるリソースを使用して、ＡＣＫを伝送し得る。ＳＰＳアップリンク解放ＡＣＫリソースは、ＲＲＣ接続設定メッセージ内の周期性等、他のＳＰＳ構成パラメータとともに、ＲＲＣメッセージ内に構成され得る。
例えば、本願発明は以下の項目を提供する。
（項目１）
半永続スケジューリング（ＳＰＳ）アップリンクリソース解放に確認応答する方法であって、
物理的ダウンリンク制御チャネル（ＰＤＣＣＨ）を介して、アップリンクＳＰＳリソース解放信号を受信することと、
該アップリンクＳＰＳリソース解放信号の受信を確認するために確認応答（ＡＣＫ）を送信することと
を含む、方法。
（項目２）
前記ＡＣＫは、前記アップリンクのためのＳＰＳリソース解放信号が前記ＰＤＣＣＨを介して伝送されるリソースと関連付けられたリソースを使用して伝送される、項目１に記載の方法。
（項目３）
前記ＳＰＳリソース解放信号は、前記ＰＤＣＣＨを介して、ダウンリンク制御情報（ＤＣＩ）フォーマット１Ａを使用して示される、項目１に記載の方法。
（項目４）
前記ＤＣＩフォーマット１Ａは、１つの予約ビットを含み、該１つの予約ビットは、アップリンクＳＰＳリソース解放またはダウンリンクＳＰＳリソース解放を示すように設定される、項目３に記載の方法。
（項目５）
前記ＡＣＫは、前記ＰＤＣＣＨのＤＣＩフォーマット１Ａが伝送されるリソースと関連付けられたリソースを使用して伝送される、項目３に記載の方法。
（項目６）
前記ＳＰＳリソース解放信号は、前記ＰＤＣＣＨを介して、ダウンリンク制御情報（ＤＣＩ）フォーマット０を使用して示される、項目１に記載の方法。
（項目７）
前記ＡＣＫは、前記ＤＣＩフォーマット０が、前記ＰＤＣＣＨを介して伝送されるリソースにリンクされたリソースを使用して伝送される、項目６に記載の方法。
（項目８）
前記ＡＣＫは、前記ＰＤＣＣＨを介して、前記ＤＣＩフォーマット０の制御チャネル要素（ＣＣＥ）指数と関連付けられたリソースを使用して伝送される、項目７に記載の方法。
（項目９）
前記ＡＣＫは、高位層信号伝達によって信号伝達されるリソースを使用して伝送される、項目１に記載の方法。
（項目１０）
前記ＡＣＫリソースは、無線リソース制御（ＲＲＣ）信号伝達を使用して信号伝達される、項目９に記載の方法。
（項目１１）
半永続スケジューリング（ＳＰＳ）アップリンクリソース解放に確認応答する方法であって、
物理的ダウンリンク制御チャネル（ＰＤＣＣＨ）を介して、アップリンクＳＰＳリソース解放信号を送信することと、
該アップリンクＳＰＳリソース解放信号の受信を確認するために確認応答（ＡＣＫ）を受信することと
を含む、方法。
（項目１２）
前記ＡＣＫは、前記アップリンクのためのＳＰＳリソース解放信号が、前記ＰＤＣＣＨを介して伝送されるリソースと関連付けられたリソースを使用して伝送される、項目１１に記載の方法。
（項目１３）
前記ＳＰＳリソース解放信号は、前記ＰＤＣＣＨを介して、ダウンリンク制御情報（ＤＣＩ）フォーマット１Ａを使用して示される、項目１１に記載の方法。
（項目１４）
前記ＤＣＩフォーマット１Ａは、１つの予約ビットを含み、該１つの予約ビットは、アップリンクＳＰＳリソース解放またはダウンリンクＳＰＳリソース解放を示すように１に設定される、項目１３に記載の方法。
（項目１５）
前記ＡＣＫは、前記ＰＤＣＣＨのＤＣＩフォーマット１Ａが伝送されるリソースと関連付けられたリソースを使用して受信される、項目１３に記載の方法。
（項目１６）
前記ＳＰＳリソース解放信号は、前記ＰＤＣＣＨを介して、ダウンリンク制御情報（ＤＣＩ）フォーマット０を使用して示される、項目１１に記載の方法。
（項目１７）
前記ＡＣＫは、高位層信号伝達によって信号伝達されるリソースを使用して提供される、項目１１に記載の方法。
（項目１８）
前記高位層信号伝達は、ＲＲＣ信号伝達をさらに含む、項目１７に記載の方法。
（項目１９）
アクセスデバイスは、前記アップリンクのためのＳＰＳリソース解放信号をユーザ機器（ＵＥ）に伝送し、該ＵＥは、前記ＡＣＫを該アクセスデバイスに伝送する、項目１１に記載の方法。
（項目２０）
プロセッサを備えているユーザ機器（ＵＥ）であって、該プロセッサは、
物理的ダウンリンク制御チャネル（ＰＤＣＣＨ）を介して、アップリンク半永続スケジューリング（ＳＰＳ）リソース解放信号を受信することと、
該アップリンクＳＰＳリソース解放信号の受信を確認するために確認応答（ＡＣＫ）を伝送することと
を行うように構成されている、ＵＥ。
（項目２１）
前記ＡＣＫは、前記アップリンクのためのＳＰＳリソース解放信号が前記ＰＤＣＣＨを介して伝送されるリソースと関連付けられたリソースを使用して伝送される、項目２０に記載のＵＥ。
（項目２２）
前記ＳＰＳリソース解放信号は、前記ＰＤＣＣＨを介して、ダウンリンク制御情報（ＤＣＩ）フォーマット１Ａを使用して示される、項目２０に記載のＵＥ。
（項目２３）
前記ＤＣＩフォーマット１Ａは、１つの予約ビットを含み、該１つの予約ビットは、アップリンクＳＰＳリソース解放またはダウンリンクＳＰＳリソース解放を示すように１に設定される、項目２２に記載のＵＥ。
（項目２４）
前記ＡＣＫは、前記ＰＤＣＣＨのＤＣＩフォーマット１Ａが伝送されるリソースと関連付けられたリソースを使用して伝送される、項目２２に記載のＵＥ。
（項目２５）
前記ＳＰＳリソース解放信号は、前記ＰＤＣＣＨを介して、ダウンリンク制御情報（ＤＣＩ）フォーマット０を使用して示される、項目２０に記載のＵＥ。
（項目２６）
前記ＡＣＫは、前記ＤＣＩフォーマット０が、前記ＰＤＣＣＨを介して伝送されるリソースとリンクされたリソースを使用して伝送される、項目２５に記載のＵＥ。
（項目２７）
前記ＡＣＫは、前記ＰＤＣＣＨを介して、前記ＤＣＩフォーマット０の制御チャネル要素（ＣＣＥ）指数と関連付けられたリソースを使用して伝送される、項目２６に記載のＵＥ。
（項目２８）
前記ＡＣＫは、高位層信号伝達によって信号伝達されるリソースを使用して伝送される、項目２０に記載のＵＥ。
（項目２９）
前記ＡＣＫは、無線リソース制御（ＲＲＣ）信号伝達によって信号伝達されるリソースを使用して伝送される、項目２８に記載のＵＥ。
（項目３０）
プロセッサを備えているアクセスデバイスであって、該プロセッサは、
物理的ダウンリンク制御チャネル（ＰＤＣＣＨ）を介して、アップリンク半永続スケジューリング（ＳＰＳ）リソース解放信号を伝送することと、
該アップリンクＳＰＳリソース解放信号の受信を確認するために確認応答（ＡＣＫ）を受信することと
を行うように構成されている、アクセスデバイス。
（項目３１）
前記ＡＣＫは、前記アップリンクのためのＳＰＳリソース解放信号が、前記ＰＤＣＣＨを介して伝送されるリソースと関連付けられたリソースを使用して伝送される、項目３０に記載のアクセスデバイス。
（項目３２）
前記ＳＰＳリソース解放信号は、前記ＰＤＣＣＨを介して、ダウンリンク制御情報（ＤＣＩ）フォーマット１Ａを使用して示される、項目３０に記載のアクセスデバイス。
（項目３３）
前記ＤＣＩフォーマット１Ａは、１つの予約ビットを含み、該１つの予約ビットは、１ビットをアップリンクＳＰＳリソース解放またはダウンリンクＳＰＳリソース解放を示すように１に設定される、項目３２に記載のアクセスデバイス。
（項目３４）
前記ＡＣＫは、前記ＰＤＣＣＨのＤＣＩフォーマット１Ａが伝送されるリソースと関連付けられたリソースを使用して受信される、項目３２に記載のアクセスデバイス。
（項目３５）
前記ＳＰＳリソース解放信号は、前記ＰＤＣＣＨを介して、ダウンリンク制御情報（ＤＣＩ）フォーマット０を使用して示される、項目３０に記載のアクセスデバイス。
（項目３６）
前記ＡＣＫは、高位層信号伝達によって信号伝達されるリソースを使用して受信される、項目３０に記載のアクセスデバイス。
（項目３７）
前記高位層信号伝達は、ＲＲＣ信号伝達をさらに含む、項目３６に記載のアクセスデバイス。
【０００９】
本開示をより完全に理解するために、添付の図面および発明を実施するための形態と併せて理解される、以下の簡単な説明を参照する（類似参照数字は、類似部品を表す）。
【図面の簡単な説明】
【００１０】
【図１】図１は、本開示のある実施形態による、システムの実施形態の図である。
【図２】図２は、本開示のある実施形態による、半永続スケジューリングアップリンクリソース解放に確認応答するための方法の工程図である。
【図３】図３は、本開示のいくつかの実施形態を実装するための好適なプロセッサおよび関連する構成要素を例証する。
【発明を実施するための形態】
【００１１】
図１は、例えば、ｔｈｅ  Ｔｈｉｒｄ  Ｇｅｎｅｒａｔｉｏｎ  Ｐａｒｔｎｅｒｓｈｉｐ  Ｐｒｏｊｅｃｔ（３ＧＰＰ）に説明されるような、無線通信システム１００の実施形態を例証する。図１は、例示であって、他の実施形態では、他の構成要素または配列を有し得る。無線通信システム１００は、少なくとも１つのＵＥ１１０と、アクセスデバイス１２０とを備え得る。ＵＥ１１０は、無線リンクを介して、ネットワークアクセスデバイス１２０と無線通信し得る。無線リンクは、ＬＴＥ、ＧＳＭ、ＧＰＲＳ／ＥＤＧＥ、高速パケットアクセス（ＨＳＰＡ）、およびユニバーサルモバイルテレコミュニケーションシステム（ＵＭＴＳ）を含む、３ＧＰＰに記載のもの等、複数の電気通信規格または指針のいずれかに準拠し得る。加えて、または代替として、無線リンクは、暫定規格９５（ＩＳ−９５）、符号分割多重アクセス（ＣＤＭＡ）２０００規格１ｘＲＴＴまたは１ｘＥＶ−ＤＯを含む、３ＧＰＰ２に記載の複数の規格のいずれかに準拠し得る。また、無線リンクは、電気電子技術者協会（ＩＥＥＥ）、またはＷｉＭＡＸフォーラム等の他の業界フォーラムによって記載の他の規格に準拠し得る。
【００１２】
アクセスデバイス１２０は、ＥＮＢ、基地局、またはＵＥ１１０のためのネットワークアクセスを促進する他の構成要素であり得る。アクセスデバイス１２０は、直接リンクを介して、同一セル１３０内にあり得る、任意のＵＥ１１０と直接通信し得る。例えば、直接リンクは、アクセスデバイス１２０とＵＥ１１０との間に確立される、２地点間リンクであって、２地点間で信号を伝送および受信するために使用され得る。加えて、アクセスデバイス１２０はまた、他の構成要素またはデバイスと通信し、無線通信システム１００の構成要素に、他のネットワークへのアクセスを提供し得る。
【００１３】
ＵＥ１１０およびアクセスデバイス１２０は、少なくとも１つのダウンリンク（ＤＬ）チャネル、少なくとも１つのアップリンク（ＵＬ）チャネル、または両方を介して、無線通信し得る。ダウンリンクおよびアップリンクチャネルは、静的、半静的、または動的に割り当てられるネットワークリソースであり得る、物理的チャネルであり得る。例えば、ダウンリンクおよびアップリンクチャネルは、少なくとも１つの物理的ダウンリンク共有チャネル（ＰＤＳＣＨ）、少なくとも１つの物理的ダウンリンク制御チャネル（ＰＤＣＣＨ）、少なくとも１つのＰＵＳＣＨ、少なくとも１つのＰＵＣＣＨ、またはそれらの組み合わせを備え得る。ある実施形態では、ダウンリンクおよびアップリンクチャネルは、周波数分割複信（ＦＤＤ）を使用して確立され、信号は、異なる周波数で受信および伝送され得る。加えて、または代替として、ダウンリンクおよびアップリンクチャネルは、時間分割を使用して確立され、信号は、異なる伝送時間間隔（ＴＴＩ）で、伝送、受信、または両方が行われ得る。
【００１４】
ある実施形態では、ＵＥ１１０は、ＰＤＣＣＨを介して、例えば、ＤＣＩフォーマット０メッセージまたは他のフォーマットの形態として、アクセスデバイス１２０から、アップリンクのためのＳＰＳリソース解放信号を受信しし得る。次いで、ＵＥ１１０は、アップリンクリソースの解放を示すためのＡＣＫをアクセスデバイス１２０に伝送することによって、アップリンクリソース解放信号の受信に確認応答し得る。故に、ＳＰＳリソースは、再び利用可能となり、アクセスデバイス１２０は、ＳＰＳリソースを別のＵＥに割り当ててもよい。ＵＥ１１０にＡＣＫをアクセスデバイス１２０に伝送させるために、アップリンクリソース解放信号と関連付けられたアップリンクチャネルリソースは、利用可能となるべきであ。ＡＣＫが、そのようなアップリンクチャネルリソースを使用して伝送されると、アクセスデバイス１２０は、ＡＣＫをアップリンクＳＰＳリソース解放信号伝達と関連付けることが可能となり得る。それによって、ＳＰＳアップリンクリソース解放は、確認され、アクセスデバイス１２０は、割り当てられていないリソースを使用して、ＵＥ１１０から受信されるさらなるデータが無いことを認知し、故に、アクセスデバイス１２０は、それに応じて作用し得る。
【００１５】
ある実施形態では、ＵＥ１１０は、アクセスデバイス１２０から、ＤＣＩフォーマット０の代わりに、アップリンクのためのＳＰＳリソース解放を示す、ＤＣＩフォーマット１Ａを受信し得る。ＤＣＩフォーマット１Ａは、アップリンクリソース解放を示すように設定され得る、予約ビットを備え得る。典型的には、ＤＣＩフォーマット１Ａは、複数の未使用ビットを備えてもよく、そのうちの１ビットは、予約され得る。一方、予約ビットが設定されないと、ＤＣＩフォーマット１Ａは、ダウンリンクのためのＳＰＳリソース解放を示し得る。ＰＤＣＣＨ上のＤＣＩフォーマット１Ａが、ＳＰＳアップリンクリソース解放を示すことを判定すると、ＵＥ１１０は、ＰＤＣＣＨのＤＣＩフォーマット１Ａと関連付けられたアップリンクチャネルリソースを使用して、ＡＣＫをアクセスデバイス１２０に伝送し得る。
【００１６】
別の実施形態では、ＵＥ１１０は、ＰＤＣＣＨを介して、アップリンクのためのＳＰＳリソース解放を示す、ＤＣＩフォーマット０を受信し得る。現時点では、ＤＣＩフォーマット０と関連付けられたアップリンクチャネルリソースは存在しないため、ＵＥ１１０は、ＰＤＣＣＨのＤＣＩフォーマット０にリンクされたＡＣＫを伝送し得る。例えば、ＵＥ１１０は、ＰＤＣＣＨのＣＣＥ指数と関連付けられたアップリンクチャネルリソースを使用して、ＡＣＫを伝送するように構成され得る。
【００１７】
代替実施形態では、ＵＥ１１０は、ＰＤＣＣＨを介して、アップリンクのためのＳＰＳリソース解放を受信し得る。次いで、ＵＥ１１０は、それに応じて、高位層信号伝達によって信号伝達されるリソースを使用して、ＡＣＫを伝送し得る。例えば、ＵＥ１１０は、ＲＲＣ信号伝達によって信号伝達されるリソースを使用して、ＡＣＫをアクセスデバイス１２０に伝送し得る。アクセスデバイス１２０は、高位層信号伝達によって、ＵＥ１１０のためのアップリンクＳＰＳ解放ＡＣＫリソースを構成および割り当ててもよい。ある実施形態では、ＵＥ１１０は、割り当てられたリソースのみを使用して、ＡＣＫを伝送し得る。アクセスデバイス１２０は、ＲＲＣ信号伝達を介して、ＵＥ１１０に、他のＳＰＳ構成情報とともに、割り当てられたリソースを送信し得る。
【００１８】
図２は、無線通信システム１００内のＳＰＳアップリンクリソース解放に確認応答するための方法２００の実施形態を例証する。ブロック２１０では、ＵＥ１１０は、アクセスデバイス１２０から、ＰＤＣＣＨを介して、ＳＰＳアップリンクリソース解放信号を受信し得る。例えば、ＵＥ１１０は、ＤＣＩフォーマット１Ａとともに、ＰＤＣＣＨを介して、アップリンクリソース解放、ＤＣＩフォーマット０、またはある他のメッセージフォーマットを示すように設定されたビットを受信し得る。ブロック２２０では、ＵＥ１１０は、アップリンクリソースの解放を確認するためのＡＣＫをアクセスデバイス１２０に伝送し得る。例えば、ＵＥ１１０は、ＰＤＤＣＨのＤＣＩフォーマット１ＡまたはＰＤＣＣＨのＣＣＥ指数と関連付けられたアップリンクチャネルリソースを使用して、ＡＣＫを伝送し得る。代替として、ＵＥ１１０は、アクセスデバイス１２０によって割り当てられ得る、ＲＲＣ信号伝達等の高位層信号伝達によって号伝達されるリソースを使用して、ＡＣＫを伝送し得る。
【００１９】
上述のＵＥ１１０および他の構成要素は、上述の作用に関する命令を実行可能な処理構成要素を含む場合がある。図３は、本明細書に開示される、１つ以上の実施形態を実装するために好適な処理構成要素６１０を含む、システム６００の実施例を例証する。プロセッサ６１０（中央プロセッサユニットまたはＣＰＵと称され得る）に加えて、システム６００は、ネットワーク接続デバイス６２０と、ランダムアクセスメモリ（ＲＡＭ）６３０と、読取専用メモリ（ＲＯＭ）６４０と、二次記憶装置６５０と、入力／出力（Ｉ／Ｏ）デバイス６６０とを含む場合がある。これらの構成要素は、バス６６０を介して相互に通信する場合がある。ある場合には、これらの構成要素のうちのいくつかは、存在しなくてもよく、または相互の組み合わせ、もしくは図示されない他の構成要素との種々の組み合わせとして、組み合わされ得る。これらの構成要素は、単一の物理エンティティ内、または２つ以上の物理エンティティ内に位置する場合がある。プロセッサ６１０によって行われる本明細書に記載する任意の作用は、プロセッサ６１０のみ、または、ＤＳＰ４０２等の、図中に示される、もしくは示されない１つ以上の構成要素と協働するプロセッサ６１０によって行われる場合がある。ＤＳＰ４０２は、別個の構成要素として示されているが、ＤＳＰ４０２は、プロセッサ６１０に組み込まれる場合がある。
【００２０】
プロセッサ６１０は、それがネットワーク接続デバイス６２０、ＲＡＭ６３０、ＲＯＭ６４０、または二次記憶装置６５０（ハードディスク、フロッピー（登録商標）ディスク、または光ディスク等、種々のディスクベースのシステムを含む場合がある）からアクセスする場合がある、命令、コード、コンピュータプログラム、またはスクリプトを実行する。１つのＣＰＵ６１０のみが示されているが、複数のプロセッサが存在し得る。したがって、命令が、プロセッサによって実行されているように述べられ得るが、命令は、同時に、順次、あるいは別様に１つまたは複数のプロセッサによって実行され得る。プロセッサ６１０は、１つ以上のＣＰＵチップとして実装され得る。
【００２１】
ネットワーク接続デバイス６２０は、モデム、モデムバンク、イーサネット（登録商標）デバイス、ユニバーサルシリアルバス（ＵＳＢ）インターフェースデバイス、シリアルインターフェース、トークンリングデバイス、光ファイバ分散データインターフェース（ＦＤＤＩ）デバイス、無線ローカルエリアネットワーク（ＷＬＡＮ）デバイス、符号分割多重アクセス（ＣＤＭＡ）デバイス、グローバルシステムフォーモバイルコミュニケーションズ（ＧＳＭ）無線送受信機デバイス等の無線送受信機デバイス、マイクロ波アクセス用の世界的相互運用性（ＷｉＭＡＸ）デバイス、および／またはネットワークに接続するための他の公知のデバイスの形態を成し得る。これらのネットワーク接続デバイス６２０によって、プロセッサ６１０は、情報を受信する場合があるか、またはプロセッサ６１０が情報を出力する場合がある、インターネット、あるいは１つ以上の電気無線通信ネットワークまたは他のネットワークと、プロセッサ６１０が通信可能となり得る。また、ネットワーク接続デバイス６２０は、データを無線で伝送および／または受信可能な１つ以上の送受信機構成要素６２５を含む場合がある。
【００２２】
ＲＡＭ６３０を使用して、揮発性データ、および可能性として、プロセッサ６１０によって実行される命令を記憶する場合がある。ＲＯＭ６４０は、典型的には、二次記憶装置６５０のメモリ容量より小さいメモリ容量を有する、不揮発性メモリデバイスである。ＲＯＭ６４０を使用して、命令、および可能性として、命令の実行中に読み取られるデータを記憶する場合がある。ＲＡＭ６３０およびＲＯＭ６４０の両方へのアクセスは、典型的には、二次記憶装置６３０へのアクセスよりも高速である。二次記憶装置６５０は、典型的には、１つ以上のディスクドライブまたはテープドライブから成り、ＲＡＭ１３３０が全ての作業用データを保持するのに十分大きくない場合、データの不揮発性保存用に、またはオーバーフローデータ記憶デバイスとして使用される場合がある。二次記憶装置６５０は、プログラムが実行のために選択されると、ＲＡＭ６３０へロードされる、プログラムを記憶するために使用され得る。
【００２３】
Ｉ／Ｏデバイス６６０は、液晶ディスプレイ（ＬＣＤ）、タッチスクリーンディスプレイ、キーボード、キーパッド、スイッチ、ダイヤル、マウス、トラックボール、音声認識装置、カードリーダ、紙テープ読取機、プリンタ、ビデオモニタ他の公知の入出力デバイスを含んでもよい。また、送受信機６２５は、ネットワーク接続デバイス６２０の構成要素である代わりに、またはそれに加えて、Ｉ／Ｏデバイス６６０の構成要素であると見なされる場合がある。
【００２４】
以下は、あらゆる目的のために、参照することによって、本明細書に援用される。３ＧＰＰ  ＴＳ  ３６．２１１および３ＧＰＰ  ＴＳ  ３６．２１３。
【００２５】
ある実施形態では、ＳＰＳアップリンクリソース解放に確認応答するための方法が、提供される。本方法は、ＰＤＣＣＨを介して、アップリンクＳＰＳリソース解放信号を受信するステップと、アップリンクＳＰＳリソース解放信号の受信を確認するためのＡＣＫを送信するステップとを含む。
【００２６】
別の実施形態では、ＳＰＳアップリンクリソース解放に確認応答するための方法が、提供される。本方法は、ＰＤＣＣＨを介して、アップリンクＳＰＳリソース解放信号を送信するステップと、アップリンクＳＰＳリソース解放信号の受信を確認するためのＡＣＫを受信するステップとを含む。
【００２７】
別の実施形態では、ＵＥが、提供される。プロセッサを含む、ＵＥは、ＰＤＣＣＨを介して、アップリンクＳＰＳリソース解放信号を受信し、アップリンクＳＰＳリソース解放信号の受信を確認するためのＡＣＫを伝送するように構成される。
【００２８】
別の実施形態では、アクセスデバイスが、提供される。プロセッサを含む、アクセスデバイスは、アップリンクＳＰＳリソース解放信号を伝送し、ＰＤＣＣＨを介して、アップリンクＳＰＳリソース解放信号の受信を確認するためのＡＣＫを受信するように構成される。
【００２９】
本開示において複数の実施形態を提供してきたが、開示されたシステムおよび方法は、本発明の精神または範囲から逸脱することなく、多数の他の特有の形態で具現化され得ることを理解されたい。本実施例は、制限的ではなく例証的と見なされ、本明細書で提供される詳細に限定されることを意図しない。例えば、種々の要素または構成要素を、別のシステムに組み入れるか、または一体化してもよく、あるいは、ある特徴を省略するか、または実装しなくてもよい。
【００３０】
また、個別または別個のものとして種々の実施形態の中で説明および例証される技術、システム、サブシステム、および方法は、本開示の範囲から逸脱することなく、他のシステム、モジュール、技術、または方法と組み合わせても、あるいは一体化し得る。連結もしくは直接連結または相互に通信するように図示または説明される他のアイテムは、電気的、機械的、またはその他の方法かどうかにかかわらず、何らかのインターフェース、デバイス、または中間構成要素を介して、間接的に連結または通信し得る。変更、置換、および改変の他の実施例は、当業者により解明可能であり、本明細書で開示される精神および範囲から逸脱することなく行うことが可能である。
【図１】
0005380547.tif 000002
【図２】
0005380547.tif 000003
【図３】
0005380547.tif 000004